(57)【要約】      （修正有）【課題】天井板材を梁、母屋等の天井構造材に取り付ける取付装置等に関し、天井板材の取り付けが容易に行えて、施工性及び経済性に優れた天井板材の取付装置並びにこれを使用した天井構造及びその施工方法を提供する。【解決手段】建物の天井構造材４に装着され、天井板材６を天井構造材４に取り付ける天井板材６の取付装置２であって、天井構造材４の下部に固定される基部、天井構造材４の下部近傍に嵌め合わされる側部、及び外向きに形成され、天井板材６の端部を上から保持する保持部１８，１８からなる上部材８と、上部材８の下部に配置され、止着手段３６により上部材８とともに天井構造材４の下部に固定される固定部、及び天井板材６の端部を下から支持する支持部２８，２８からなる下部材１０と、を有する構成である。【選択図】図１
2015224417.tif 000002
【特許請求の範囲】
【請求項１】
建物の天井構造材に装着され、天井板材を上記天井構造材に取り付ける天井板材の取付装置であって、
上記天井構造材の下部に固定される基部、この基部の両側からそれぞれ上方に立ち上がり上記天井構造材の下部近傍に嵌め合わされる側部、及びこれら各側部からそれぞれ外向きに形成され、上記天井板材の端部を上から保持する保持部からなる上部材と、
上記上部材の下部に配置され、止着手段により上記上部材の基部とともに上記天井構造材の下部に固定される固定部、及びこの固定部の両側からそれぞれ外向きに形成され、上記天井板材の端部を下から支持する支持部からなる下部材と、を有することを特徴とする天井板材の取付装置。
【請求項２】
上記上部材及び上記下部材をともに長尺材とし、上記上部材の保持部を各側部の上端部からそれぞれ横方向に形成し、上記下部材の支持部を固定部の両側からそれぞれ斜め上方に形成したことを特徴とする請求項１に記載の天井板材の取付装置。
【請求項３】
上記上部材の保持部に、端部から下方に向けさらに内側に向けて屈曲した保持片を形成したことを特徴とする請求項１又は２に記載の天井板材の取付装置。
【請求項４】
上記上部材の保持部に、斜め上方に向けて屈曲したガイド片を延設したことを特徴とする請求項１又は２に記載の天井板材の取付装置。
【請求項５】
上記下部材の支持部に、途中から横向きに屈曲した支持片を形成したことを特徴とする請求項１乃至４の何れかに記載の天井板材の取付装置。
【請求項６】
上記上部材の両側部の上部の間隔を、上記天井構造材の下部近傍の幅より狭く形成し、バネ力により付勢された上記両側部により上記天井構造材の下部近傍を挟持させ、上記上部材を天井構造材に係止させることを特徴とする請求項１乃至５の何れかに記載の天井板材の取付装置。
【請求項７】
上記上部材の両側部の各中間部に、それぞれ内向きに突出した突起部を形成し、これら突起部の頂部間の間隔を、上記天井構造材の下部近傍の幅より狭く形成し、バネ力により付勢された上記突起部により上記天井構造材の下部近傍を挟持させ、上記上部材を天井構造材に係止させることを特徴とする請求項１乃至５の何れかに記載の天井板材の取付装置。
【請求項８】
請求項１乃至請求項７の何れかに記載の天井板材の取付装置を用いた天井構造であって、
並設された天井構造材間に、それぞれ上記取付装置を用いて上記天井板材を取り付けたことを特徴とする天井構造。
【請求項９】
請求項６又は７に記載の天井板材の取付装置を用いた天井板材の施工方法であって、
上記天井構造材の下部近傍に上記上部材の両側部を嵌めて係止仮止めし、この上部材の一方の保持部の下部に配置した上記天井板材の端部を、下から配置した上記下部材の一方の支持部を押し当てて挟み、止着手段を用いて上記下部材とともに上記上部材を上記天井構造材の下部に固定し、上記天井板材の端部を挟持し固定する一方、
上記上部材の他方の保持部と上記下部材の他方の支持部との間に、他の天井板材の端部を差し込み挟持させて固定することを特徴とする天井板材の施工方法。
【発明の詳細な説明】
【技術分野】
【０００１】
本発明は、天井板材を梁、母屋等の天井構造材に取り付けるための天井板材の取付装置並びにこれを使用した天井構造及びその施工方法に関する。
【背景技術】
【０００２】
従来、建物の天井では、梁、母屋等を利用して天井材を敷設する天井構造が知られている。
【０００３】
例えば特許文献１には、図９に示すように、天井下地材８２の下面に天井材８４を貼着し、一側縁に係合部８６を有する取付金物８８が固着され、他側縁に取付部９０が形成された天井パネル９２を備え、天井予定部の第１の周辺部材９４（屋根梁）に天井パネル９２の取付金物８８の係合部８６を係合させるとともに、取付部９０を周辺部材と対向する第二の周辺部材９６（野縁）に取り付けた天井構造が開示されている。この天井構造により、野縁等の天井下地が不要となって施工工数が少なくなり、また容易に作業ができるというものである。
【０００４】
特許文献２には、Ｃ型鋼材からなる母屋上に敷設した内側下地材と外側下地材との間に、縦葺き屋根板が保持される保持部材の所要幅より広幅の中間下地材を敷設し、内側下地材と外側下地材との間に空気層を形成した縦葺き屋根の構造が開示されている。
また、特許文献３には、第１保持部材と第２保持部材とを備え、溝型鋼（屋根母屋）に装着される建材保持部材を用い、隣接する溝型鋼間に配置した屋根下地材を上記建材保持部材で保持する屋根構造の記載があり、これにより屋根下地材を確実に保持し、屋根下地材の吹き上げを防止するというものである。
【先行技術文献】
【特許文献】
【０００５】
【特許文献１】特開平７−２７９３００号公報
【特許文献２】特開平６−２３５２４６号公報
【特許文献３】特許第４５６３４３９号公報
【発明の概要】
【発明が解決しようとする課題】
【０００６】
さて、上記特許文献１に記載の天井構造は、天井パネルに取付金物及び取付部等を装備することから部品点数が増え、また取付け構造の異なる第一及び第二の周辺部材を利用するものであるため施工が複雑になるという問題がある。
また、特許文献２の縦葺き屋根の構造は、母屋の上部に外側下地材、内側下地材等を敷設する構造であるため、屋根板の敷設と同時に施工する必要があり、下地材等の施工が複雑になるという問題がある。特許文献３の屋根構造についても、溝型鋼を第１及び第２保持部材で覆い被着する構成であるため、部材に精度が要求され又作業が手間取るという問題がある。
また、屋根材のみの建物等では断熱性が劣るという問題があり、このため比較的簡易な手段により、天井板材を天井に敷設して空気層を設け、断熱性を改善したい等の要望がある。
【０００７】
本発明は上記問題点を解決するためになされたものであり、天井板材の取り付け作業が容易に行えて、施工性及び経済性に優れた天井板材の取付装置並びにこれを使用した天井構造及びその施工方法を提供することを目的とする。
【課題を解決するための手段】
【０００８】
以上の技術的課題を解決するため、本発明に係る天井板材の取付装置は、図１等に示すように、建物の天井構造材に装着され、天井板材６を上記天井構造材４に取り付ける天井板材の取付装置２，５２であって、上記天井構造材４の下部に固定される基部１６、この基部の両側からそれぞれ上方に立ち上がり上記天井構造材４の下部近傍に嵌め合わされる側部１７，１７、及びこれら各側部からそれぞれ外向きに形成され、上記天井板材６の端部を上から保持する保持部１８，１８，６８，６８からなる上部材８，５８と、上記上部材の下部に配置され、止着手段３６により上記上部材の基部１６とともに上記天井構造材４の下部に固定される固定部２６、及びこの固定部の両側からそれぞれ外向きに形成され、上記天井板材６の端部を下から支持する支持部２８，２８からなる下部材１０と、を有する構成である。
ここで、上記天井構造材４としては、例えば母屋、桁、或いは梁、又はこれらに沿い、或いはこれらと交差する方向に取り付けた横材等が含まれる。
また、上記止着手段３６としては、ビス、ボルト、或いは釘等の止着具、又は係着具、又は接着剤等が含まれる。
【０００９】
本発明に係る天井板材の取付装置は、上記上部材８，５８及び上記下部材１０をともに長尺材とし、上記上部材の保持部１８，１８を各側部の上端部からそれぞれ横方向に形成し、上記下部材１０の支持部２８，２８を固定部２６の両側からそれぞれ斜め上方に形成した構成である。
【００１０】
本発明に係る天井板材の取付装置は、上記上部材８の保持部１８，１８に、端部から下方に向けさらに内側に向けて屈曲した保持片２０，２０を形成した構成である。
【００１１】
また、本発明に係る天井板材の取付装置は、上記上部材５８の保持部７８，６８に、斜め上方に向けて屈曲したガイド片７０，７０を延設した構成である。
【００１２】
本発明に係る天井板材の取付装置は、上記下部材１０の支持部２８，２８に、途中から横向きに屈曲した支持片３０，３０を形成した構成である。
【００１３】
本発明に係る天井板材の取付装置は、上記上部材の両側部の上部の間隔を、上記天井構造材４の下部近傍の幅より狭く形成し、バネ力により付勢された上記両側部により上記天井構造材４の下部近傍を挟持させ、上記上部材を天井構造材に係止させる構成である。
【００１４】
本発明に係る天井板材の取付装置は、上記上部材の両側部の各中間部に、それぞれ内向きに突出した突起部２２，２２を形成し、これら突起部の頂部間の間隔を、上記天井構造材４の下部近傍の幅より狭く形成し、バネ力により付勢された上記突起部２２，２２により上記天井構造材４の下部近傍を挟持させ、上記上部材を天井構造材に係止させる構成である。
【００１５】
本発明に係る天井構造は、上記何れかに記載の天井板材の取付装置を用いた天井構造であって、並設された天井構造材４間に、それぞれ上記取付装置を用いて上記天井板材６を取り付けた構成である。
【００１６】
本発明に係る天井板材の施工方法は、上記記載の天井板材の取付装置を用いた天井板材の施工方法であって、上記天井構造材４の下部近傍に上記上部材８，５８の両側部を嵌めて係止仮止めし、この上部材の一方の保持部の下部に配置した上記天井板材６の端部を、下から配置した上記下部材１０の一方の支持部を押し当てて挟み、止着手段３６を用いて上記下部材とともに上記上部材を上記天井構造材４の下部に固定し、上記天井板材の端部を挟持し固定する一方、上記上部材の他方の保持部と上記下部材の他方の支持部との間に、他の天井板材の端部を差し込み挟持させて固定することである。
【発明の効果】
【００１７】
本発明に係る天井板材の取付装置によれば、天井構造材の下部に固定される基部、側部、及び天井板材の端部を上から保持する保持部からなる上部材と、天井構造材の下部に固定される固定部、及び天井板材の端部を下から支持する支持部からなる下部材と、を有する構成を採用したから、天井板材の取り付け作業が容易に行えて施工性に優れ、また部品点数も少なく経済性にも優れるという効果を奏する。
【００１８】
本発明に係る天井板材の取付装置によれば、上部材及び下部材をともに長尺材とし、上部材の保持部を横方向に形成し、下部材の支持部を斜め上方に形成した構成を採用したから、天井板材の支持が安定して行え、また下部材の支持部のバネ力が有効に機能し天井板材が確実に保持できるという効果がある。
【００１９】
本発明に係る天井板材の取付装置によれば、上部材の保持部に、端部から下方に向けさらに内側に向けて屈曲した保持片を形成した構成としたから、天井板材の保持が安定し且つ強固に行えるという効果がある。
また、本発明に係る天井板材の取付装置によれば、上部材の保持部に、斜め上方に向けて屈曲したガイド片を延設した構成としたから、天井板材を保持部の下部に配置し又は下部を通過させる際、天井板材の端部がガイドされ、作業が容易に行えるという効果がある。
【００２０】
本発明に係る天井板材の取付装置によれば、下部材の支持部に、途中から横向きに屈曲した支持片を形成した構成としたから、天井板材の支持が安定して行えるという効果がある。
【００２１】
本発明に係る天井板材の取付装置によれば、バネ力により付勢された両側部により天井構造材の下部近傍を挟持させ、上部材を天井構造材に係止させる構成としたから、天井構造材への上部材の仮止めが簡単に行え、作業性が良いという効果がある。
【００２２】
本発明に係る天井板材の取付装置によれば、バネ力により付勢された突起部により天井構造材の下部近傍を挟持させ、上部材を天井構造材に係止させる構成としたから、天井構造材への上部材の仮止めが確実かつ簡単に行え、作業性が良いという効果がある。
【００２３】
本発明に係る天井構造によれば、並設された天井構造材間に、それぞれ取付装置を用いて天井板材を取り付けた構成を採用したから、天井板材の取り付け作業が容易に行えて施工性に優れ、また天井に空気層が形成され断熱性が改善されるという効果がある。
【００２４】
本発明に係る天井板材の施工方法によれば、天井構造材に上部材を仮止めし、この上部材の一方の保持部の下部に配置した天井板材を下部材の一方の支持部で挟み、両部材を天井構造材に固定する一方、上部材の他方の保持部と下部材の他方の支持部との間に、他の天井板材の端部を差し込み挟持させて固定する方法を採用したから、天井板材の取り付けが効率的且つ簡単に行えて作業性に優れるという効果がある。
【図面の簡単な説明】
【００２５】
【図１】実施の形態に係る天井板材の取付装置を示す図である。
【図２】実施の形態に係る天井板材の取付装置の上部材を示す図である。
【図３】実施の形態に係る天井板材の取付装置の下部材を示す図である。
【図４】天井板材の取付装置を示す分解図である。
【図５】天井板材の取付装置の説明図である。
【図６】実施の形態に係り、天井板材の取付装置を用いた天井構造を示す図である。
【図７】他の形態に係る天井板材の取付装置を示す図である。
【図８】他の形態に係る天井板材の取付装置の上部材を示す図である。
【図９】従来例に係る天井構造を示す図である。
【発明を実施するための形態】
【００２６】
以下、本発明の実施の形態を図面に基づいて説明する。
図１は、実施の形態に係る天井板材の取付装置を示したものである。この取付装置２は、建物の天井構造材４（母屋、桁、或いは梁、又はこれらに取り付けた横材等を含む）に取り付けて使用され、天井板材６を天井に敷設するために用いられる。この天井板材６は、屋根材と平行或は水平に敷設し、屋根材との間に所定の空間部（空気層）を形成する。この取付装置２は、工場、店舗、公共施設等の建物の天井に天井板材６取り付ける場合に適用でき、屋根材との間に空気層を形成し天井部分の断熱、遮音性能を良くする。
【００２７】
上記取付装置２は、上部材８と下部材１０からなる長尺材であり、これら両部材を用いて天井構造材４に天井板材６を取り付ける。
天井構造材４はここではＣ形鋼からなり、平坦な底面部１２、この底面部１２の左右部からそれぞれ直角に側面部１３，１３が立設形成され、断面は略長方形状である。天井構造材４は、断面がＣ形状以外に、長方形或は正方形状等のものが適用でき、少なくとも、底面部、この底面部の左右部からそれぞれ側面部が立設形成された形態のものであれば適用可能である。
【００２８】
上記上部材８、下部材１０は、ともに長方形状の鋼板をプレス等により屈曲成形して得た長尺状の部材である。ここでは、上記鋼板の板厚は０．６ｍｍのものを使用し、長尺方向の長さはともに１８２０ｍｍである。また、上部材８、下部材１０は、美観上、ともにカラー鋼板（着色亜鉛鋼板）を使用している。
【００２９】
図２、図４に示すように、上記上部材８は、平坦な基部１６、この基部１６の両側からそれぞれ上方（直角）に立ち上り、天井構造材４の下側を挟持する側部１７，１７及びこれら各側部１７，１７の上端部からそれぞれ横方向（直角）に鍔状に延設され、天井板材６の端部を上から押えて保持する保持部１８，１８、等を有する長尺状の材料である。
【００３０】
また、上記上部材８の両保持部１８，１８には、それぞれ端部から下方に向けさらに内側に向けてコの字状に屈曲した保持片２０，２０が形成されている。
さらに、上部材８の両側部１７，１７の各中間部（上下間の中央部より下寄りの位置）には、それぞれ内向きに突出した断面三角形状の突起部２２が形成されている。これら突起部２２，２２は、長尺方向に沿って突条に形成されている。
【００３１】
上部材８は、左右の側部１７，１７を天井構造材４の下側（側面部１３，１３の下部近傍）に嵌めて使用するものであるため、上部材８の左右の側部１７，１７間の幅（下部内側）は、天井構造材４の左右の側面部１３，１３間の幅（外側）より少し大きく形成する。
そして作業性を良くするため、上部材８の突起部２２，２２により天井構造材４の側面部１３，１３を挟持し、上部材８を天井構造材４に係止させ、落下しないよう仮止めする。
【００３２】
このため、上部材８の両突起部２２，２２の頂部間の間隔（Ｌ）は、天井構造材４の側面部１３，１３の外側間の間隔（Ｍ）より少し狭く（Ｌ＜Ｍ）設定する。
図５に示すように、上部材８を天井構造材４の下部近傍に嵌合させた場合、上部材８の両側部１７，１７が押し広げられ、両側部１７，１７に内向きのバネ力が生じる。そして、両突起部２２，２２の内向きの付勢力（Ｐ）が天井構造材４の側面部１３，１３に作用し、上部材８が天井構造材４に係止保持される。
【００３３】
加えて、上記上部材８の両側部１７，１７が押し広げられると、上部材８の両側部１７，１７の上部が広げられ（Ｑ）、これとともに両保持部１８，１８が下方に押し下げられ（Ｒ）、両保持部１８，１８が保持する天井板材６を局部的に押圧するように作用する。
このように、上部材８と下部材１０で天井板材６を挟持した状態では、両側部１７，１７のバネ力により、上部材８の両保持部１８，１８に天井板材６を押圧する付勢力が生じ、また下方に屈曲した保持片２０，２０は天井板材６を食い込み押圧することから、保持固定が強固に行える。
なお、上記上部材８の側部１７，１７に設けた突起部２２，２２は、他に、同様な位置に連続的でなく或いは点々とした形状に設けても良く、このような突起部についても、上記突起部２２，２２と同様、上部材８を天井構造材４に係止し、仮止めするという効果が得られる。
【００３４】
上記下部材１０は図３、図４に示すように、平坦な固定部２６、この固定部２６の両側からそれぞれ斜め上方に翼状に形成され、天井板材６の端部を下から支持する支持部２８，２８等を有する長尺材である。この下部材１０の両支持部２８，２８の先近傍には、さらに横向きの支持片３０，３０が形成されている。
また、下部材１０の固定部２６には、所定の間隔で孔部３２が設けられている。止着具３６（セルフドリルネジ）を用いる場合、敢えて孔部３２を開設しておく必要はないが、この孔部３２により止着具３６による止着位置が定まり作業がし易くなる。
【００３５】
図４に示すように、取付装置２の寸法として、ここでは上部材８の両側部１７，１７間の幅（内側）を、下側（Ｄ１）＝５３．５ｍｍ、上側（Ｄ２）＝５２．５ｍｍとしている。上側の幅を１．０ｍｍ狭くしているのは、両側部１７，１７に内側向きのバネ力を確保するためである。また、側部１７，１７の縦の長さは３８ｍｍ、突起部２２の突起の高さは１．８ｍｍとしている。
上部材８の長さ（製造の基準長）は１８２０ｍｍであり、必要により所定の長さに切断して使用する。上部材８の幅は７８．１ｍｍである。
【００３６】
下部材１０についても、長さは１８２０ｍｍである。下部材１０の幅は１０４．０ｍｍであり、また固定部２６に対する支持部２８の角度（θ）は１３５°である。下部材１０には、孔部３２が３か所設けられており、各孔部３２間の間隔は８９０ｍｍである。
また、上部材８の基部１６及び下部材１０の固定部２６の各幅は、天井構造材４の底面部１２の幅等と対応させておく必要がある。ここでは、上部材８の両側部１７，１７間の上記幅（Ｄ１）は天井構造材４の側面部１３，１３の外側幅（Ｍ）より少し広くしている。
【００３７】
また天井板材６として、ここでは軽量のＧＷ（グラスウール）ボードを用いている。他の材質の天井板材６を用いることも可能である。この場合、天井板材６としては軽量のものが好適である。
上記ＧＷボードの天井板材６は、矩形状（長方形又は正方形）の形状である。このＧＷボードは、板厚２０ｍｍのものを使用しているが、この板厚は１０ｍｍ〜３０ｍｍの範囲のものが、断熱上効果的であり、施工上も好適である。
【００３８】
また、天井板材６の辺の内天井構造材４（取付装置２）と直交する辺の長さは、隣り合う天井構造材４間の距離と略同等の長さとする。これにより、天井構造材４間に天井板材６を架設することができる。天井板材６の辺の内天井構造材４と平行な辺の長さは、強度、施工性等に鑑みて適宜に決める。
また、天井板材６の辺の内取付装置２の長尺方向と平行な辺の長さは、取付装置２の長さと一致するように設定するのが効果的である。このように両者の長さを一致させることで、個々の天井板材６を個々の取付装置２（上部材８、下部材１０）に対応させて取り付けることができ作業性が良い。
【００３９】
上記天井板材６には、大きさ、硬さ等必要により枠材３４を取り付けると、天井板材６の端部を支持でき、弛み等が防止できて有効である。この枠材３４は、天井板材６の周囲の４辺或いは向い合う２辺に取り付ける。枠材３４は、鋼材又は軽量金属からなる断面Ｌ形或いは断面コの字形の材料等を用いる。
【００４０】
次に、上記天井板材の取付装置の施工方法について説明する。
建物の天井部分には、母屋、桁及び梁等などの天井構造材４が用いられており、この天井構造材４に取付装置２を装着し、天井板材６を取り付ける。通常、天井には天井構造材４が複数平行に配設されており、これら天井構造材４間に天井板材６を取り付ける。
このため、天井構造材４間の距離が長い場合等、それらの間に補助的な天井構造材４としてＣ形鋼等からなる横材を取り付け、また天井の端の箇所等、適当な天井構造材４がない箇所についても、補助的に上記横材を取り付けこれら横材に取付装置２を配設するようにしてもよい。
また、天井構造材４自体に、これと沿う方向或いは交差する方向に新たに補助的な天井構造材としてＣ形鋼等からなる横材を取り付け、これら横材に取付装置２を配設するようにしてもよい。
【００４１】
建物の天井構造材４については、ここでは便宜上、天井構造材４が４本（順に、第一から第四の天井構造材４）平行に配設され、これら天井構造材４間に天井板材６（順に、第一から第三の天井板材６）を敷設する場合について説明する。
この天井板材６は、ＧＷボードからなり、ここでは天井構造材４と直交する辺（端部）にはそれぞれ枠材３４を取り付ける。天井構造材４はＣ形鋼からなり、下部には平坦な底板部１２が、左右には側板部１３，１３が形成された形状である。
取付装置２は、天井構造材４の下側に嵌めて係止可能なように、上部材８の基部１６、及び下部材１０の固定部２６等の寸法を定め、各部材を準備する。
【００４２】
さて、取付装置２を用いて天井構造材４に天井板材６を取り付ける場合、先に上部材８のみを天井構造材４に係止させ仮止めしておき、この上部材８の保持部１８の下部に天井板材６の端部を配置し、下から下部材１０の支持部２８を押し当てて天井板材６を挟持し、このまま止着具３６を用いて両部材を天井構造材４に取り付ける第一の方法がある。
【００４３】
また、先に上部材８と下部材１０を止着具３６により天井構造材４に取り付けておき、これら上部材８の保持部１８と下部材１０の支持部２８間に、天井板材６の端部を差し込み挟持固定する第二の方法がある。
この第二の方法は、上記第一の方法により上部材８の一方の保持部１８と下部材１０の一方の支持部２８に天井板材６の端部を挟持固定した場合、上部材８の他方の保持部１８と下部材１０の他方の支持部２８間に、他の天井板材６の端部を差し込み挟持固定する方法と同様である。
上記第二の方法により天井板材６を差し込む際、天井板材６の後部の端を少し持ち上げて傾斜させる等により、差し込みが容易に行える。止着具３６を少し緩め、この状態で天井板材６を差し込み、その後止着具を締めるようにしてもよい。
上記第二の方法によれば、天井板材の端部が簡単に取付装置に装着でき、このため取付装置を用いた天井板材の施工が少ない作業員等で行えて効率的である。上記何れの方法を用いるかは、作業手順、現場の状況等に応じて適切に判断して行なう。
【００４４】
ここでは先ず、第一の天井構造材４に取付装置２の上部材８を装着する。作業者は、下方から天井構造材４の側面部１３，１３に上部材８の両側部１７，１７を嵌める。すると、上部材８の突起部２２には、両側部１７，１７のバネ力により内側に向けた付勢力が作用し、上部材８を天井構造材４の両側面部１３，１３に係止し仮止めする。
そして、上記上部材８の基部１６の下に下部材１０の固定部２６を配置し、セルフドリリング可能なビス等の止着具３６を用い、この止着具３６を下部材１０の孔部３２からねじ込み、上部材８及び下部材１０を第一の天井構造材４に固定する。
【００４５】
次に、第一の天井板材６を第一及び第二の天井構造材４間に配置し、この第一の天井板材６の一方の端部を、上記第一の天井構造材４に取り付けた上部材８（保持部１８）と下部材１０（支持部２８）との間に嵌め、差し込む。
続いて、第二の天井構造材４に上記と同様に上部材８を係止させ仮止めする。この上部材８の仮止め作業は、先に行っておいても良い。そして、この上部材８の保持部１８の下に第一の天井板材６の他方の端部を配置し、その下部を下部材１０の支持部２８（支持片３０）で押え、挟持する。
同時に、上部材８（基部１６）とともに下部材１０（固定部２６）を、第二の天井構造材４の底面部１２に押し当て、止着具３６を用いて両部材を第二の天井構造材４に固定する。これで、第一の天井板材６の両端部がそれぞれ第一及び第二の天井構造材４に固定される。
【００４６】
次に、第二の天井板材６を第二と第三の天井構造材４間に配置し、この第二の天井板材６の一方の端部を、上記先に第二の天井構造材４に取り付けた上部材８の他の（天井板材６を取付けてない側）保持部１８と下部材１０の他の支持部２８との間に差し込む。
続いて、第三の天井構造材４に上記と同様に上部材８を係止させ仮止めする。そして、この上部材８の保持部１８の下に第二の天井板材６の他方の端部を配置し、その下部を下部材１０の支持部２８（支持片３０）で押えて挟持し、同時に、止着具３６を用いて上部材８とともに下部材１０を第三の天井構造材４に固定する。これで、第二の天井板材６の両端部がそれぞれ第二及び第三の天井構造材４に固定される。
【００４７】
さらに、第三の天井板材６を第三及び第四の天井構造材４間に配置し、この第三の天井板材６の一方の端部を、上記第三の天井構造材４に取り付けた上部材８の保持部１８と下部材１０の支持部２８との間に差し込む。
続いて、第四の天井構造材４に上記と同様に上部材８を係止させ仮止めする。そして、この上部材８の保持部１８の下に第三の天井板材６の他方の端部を配置し、その下部を下部材１０の支持部２８（支持片３０）で押えて挟持し、同時に、止着具３６を用いて上部材８とともに下部材１０を第四の天井構造材４に固定する。これで、第三の天井板材６の両端部がそれぞれ第三及び第四の天井構造材４に固定される。
【００４８】
以上の工程により、第一から第四の天井構造材４間にそれぞれ第一から第三の天井板材６が取り付けられる。同様に、天井構造材４の長尺方向についても、上記と同様にして天井板材６を取り付け、天井全体に天井板材６を敷設する。
図６は、取付装置２を用い、天井構造材４間に天井板材６を敷設した天井構造を示したものである。
上記実施の形態によれば、天井板材の取り付け作業が容易かつ効果的に行えて施工性に優れ、また部品点数も少なく経済性にも優れ、併せて天井の断熱効果が改善されるという効果がある。
【００４９】
なお、上記天井板材の施工では、天井構造材４に沿った方向に連続的に取付装置２を敷設したが、他の例として、不連続的に取付装置２を取り付けるようにしても良い。この場合、取付装置２の長さ（天井構造材に沿う方向）及び取付装置２間の間隔等は、天井板材６の大きさ等を考慮し適宜に設定する。
また、上記実施の形態では、上部材８の両側部１７，１７に形成した突起部２２により、上部材８を天井構造材４に係止し仮止めするようにしたが、これは他に、突起部２２を設ける代わりに、上部材の両側部を基部に対して直角より少し内向き（鋭角）に成形する構成とすることもできる。この場合、上部材の両側部の上端部の幅（内側）を天井構造材４の側面部１３，１３の幅（外側）より狭く形成する。
これにより、上部材を天井構造材４の下側に嵌め込むと、上部材の両側部の上端部には内側に向けたバネ力が作用し、これによる付勢力を利用して上部材を天井構造材４に係止し仮止めすることができる。
【００５０】
他に、上部材の基部と天井構造材４の底面部１２との間に両面（接着可能）テープを介在させ、これにより上部材を天井構造材４に仮止めすることもできる。
また、作業性を考慮しないのであれば、上部材の両側部を天井構造材に係止しないフリーの状態とし、上部材を天井構造材４の下側に嵌め合わせ、この上部材を作業員等によって保持し、天井板材６を下部材との間で挟持させ、両部材を天井構造材に固定するようにしてもよい。
何れにしても、上記上部材８の保持部１８の下から下部材１０の支持部２８を押し当てて天井板材６を挟持し、止着具３６を用いて両部材を天井構造材４に取り付ける方法、及び先に取り付けた上部材８の保持部１８と下部材１０の支持部２８間に、天井板材６の端部を差し込み挟持固定する方法、が採用できることはいうまでもない。
【００５１】
図７は、他の実施の形態に係る天井板材の取付装置５２を示したものである。
この取付装置５２に関しては、上記取付装置２関連と同様な部材については同じ符号を用い、ここでの詳細な説明は省略する。この取付装置５２は、上記取付装置２と同様、建物の梁、母屋或いは桁等の天井構造材４に取り付けて使用され、天井板材６を天井に敷設するために用いられる。また、この取付装置５２についても、工場、店舗、公共施設等の建物の天井に天井板材６を取り付ける場合に適用でき、屋根材との間に空気層を形成し天井部分の断熱、遮音性能を良くする。
【００５２】
この取付装置５２は、上部材５８と下部材１０からなる長尺形状であり、これら両部材を用いて天井構造材４に天井板材６を取り付ける。この下部材１０は、上記取付装置２に用いられるものと同様である。
【００５３】
図８に示すように、上部材５８は、基部１６、この基部１６の両側からそれぞれ上方に立ち上り、天井構造材４の下側を挟持する側部１７，１７及びこれら各側部１７，１７の上端部からそれぞれ横方向（直角）に鍔状に延設され、天井板材６の端部を上から保持する保持部６８，６８等を有する長尺状の材料である。
【００５４】
さらに、上部材５８の両保持部６８，６８には、それぞれ途中から斜め上方に向かうガイド片７０が形成されている。また、上部材５８の両側部１７，１７の各中間部（上下間の中央部より下寄りの位置）に、それぞれ内向きに突出した断面三角形状の突起部２２が長尺方向に形成されている。
そして、作業性を良くするため、上部材５８の突起部２２が天井構造材４の側面部１３，１３を挟持し、上部材５８を天井構造材４に係止して仮止めする。
【００５５】
この取付装置５２についても、上部材５８を天井構造材４の下部近傍に嵌合させた場合、上部材５８の両側部１７，１７が押し広げられて内向きのバネ力が生じ、両突起部２２，２２の内向きの付勢力が天井構造材４の側面部１３，１３に作用し、上部材５８が天井構造材４に係止保持される。
【００５６】
加えて、この上部材５８は、保持部６８，６８に形成されたガイド片７０，７０により、下部材１０の支持部２８（支持片３０）と、上部材の保持部６８との間に天井板材６の端部を差し込む場合、この端部が上記ガイド片７０により保持部６８の下部にガイドされ導かれ、天井板材６の差し込みが正確かつ円滑に行える。また、天井構造材４に仮止めした上部材５８の下部に天井板材６を配置する際にも、ガイド片７０が有効に天井板材６の端部を案内する。
【００５７】
取付装置５２の寸法として、ここでは上部材５８の両側部１７，１７間の幅（内側）を、下側＝５３．５ｍｍ、上側＝５２．５ｍｍとしている。ここで、上側を１．０ｍｍ狭くしているのは、両側部１７，１７に内側向きのバネ力を確保するためである。また、側部１７，１７の高さは３６ｍｍ、突起部２２の突起の高さは１．６ｍｍとしている。
上部材５８の長さは、１８２０ｍｍであり、必要により所定の長さに切断して使用する。上部材５８の幅は１０２．５ｍｍである。また上部材５８は、保持部６８に対するガイド片７０の傾斜角度（δ）を３０°としている。
【００５８】
この取付装置５２を用いた場合の、天井板材６を天井構造材４に取り付ける方法、天井構造等は、上記取付装置２を用いた場合と同様であり、ここでの詳細な説明は省略する。
従って、この実施の形態においても、上記実施の形態と同様、天井板材の取り付け作業が容易かつ効果的に行えて施工性に優れ、また部品点数も少なく経済性にも優れ、併せて天井の断熱効果が改善されるという効果がある。
【符号の説明】
【００５９】
２，５２  天井板材の取付装置
４  天井構造材
６  天井板材
８，５８  上部材
１０  下部材
１６  基部
１７  側部
１８，６８  保持部
２０  保持片
２２  突起部
２６  固定部
２８  支持部
３０  支持片
３６  止着手段（止着具）
７０  ガイド片
【図１】
2015224417.tif 000003
【図２】
2015224417.tif 000004
【図３】
2015224417.tif 000005
【図４】
2015224417.tif 000006
【図５】
2015224417.tif 000007
【図６】
2015224417.tif 000008
【図７】
2015224417.tif 000009
【図８】
2015224417.tif 000010
【図９】
2015224417.tif 000011